(57)【要約】【課題】ＩＣカード等のカードをカードトレイ等のカード収容体に容易且つ確実に保持させることができ、安定してカード収容体の挿抜動作を行うことができるカードコネクタの提供。【解決手段】互いに間隔を置いて対向する一対の内壁部２４，２５間にカードＢが収容されるカード収容部１３が形成されてなるカード収容体２と、カード収容体２が挿入される収容体挿入部を有するハウジングと、収容体挿入部内に突出してカードの片面側に形成された信号伝達端子と接触する複数のコンタクトとを備え、カード収容体２は、内壁部２４，２５の一方又は両方に他方の内壁部側に向けてカード周面を押圧するバネ状の弾性押圧部材２８，２８が形成され、両内壁部２４，２５間にカードＢを保持させるようにした。【選択図】図３
2013222653.tif 000002
【特許請求の範囲】
【請求項１】
互いに間隔を置いて対向する一対の内壁部間にカードが収容されるカード収容部が形成されてなるカード収容体と、該カード収容体が挿入される収容体挿入部を有するハウジングと、前記収容体挿入部内に突出して前記カードの片面側に形成された信号伝達端子と接触する複数のコンタクトとを備えたカードコネクタにおいて、
前記カード収容体は、前記内壁部の一方又は両方に他方の内壁部側に向けてカード周面を押圧するバネ状の弾性押圧部材が形成され、前記両内壁部間に前記カードを保持させるようにしたことを特徴としてなるカードコネクタ。
【請求項２】
前記弾性押圧部材は、前記内壁部に前記カード周面と互いに対向する配置に弾性変形可能に支持させたばね状の弾性可動片と、該弾性可動片の内側に突出した押圧突部とを備えた請求項１に記載のカードコネクタ。
【請求項３】
前記内壁部にスリット状の溝を形成することにより、前記内壁部の内側面部を弾性可動片とするとともに、該弾性可動片の変形代を形成するようにした請求項２に記載のカードコネクタ。
【請求項４】
前記底板部に前記内壁部の内側下縁に沿ってスリット状の長孔が形成されることにより、前記内壁部の一部を前記弾性可動片とした請求項２に記載のカードコネクタ。
【請求項５】
前記カード収容体のカード挿入方向奥側に配置された内壁部に前記カード縁部が露出されるカード露出部が形成されるとともに、前記収容体挿入部のカード挿入方向奥側部に操作側スイッチコンタクト及び被操作側スイッチコンタクトからなるタイミングスイッチを備え、且つ、前記内壁部と間隔を置いて対向する他方の内壁部に前記弾性押圧部材を備え、
前記操作側スイッチコンタクトが前記カード露出部を通して前記カードの縁部と接触することにより前記被操作側スイッチコンタクトと接触又は離反するようにした請求項１、２又は３に記載のカードコネクタ。
【発明の詳細な説明】
【技術分野】
【０００１】
本発明は、ＩＣカードやフラッシュメモリーカード等のカードと携帯電話機やスマートフォン等の電子機器に搭載されたプリント配線基板とを電気的に接続するカードコネクタに関する。
【背景技術】
【０００２】
従来、この種のカードコネクタにおいては、カードが収容されるカードトレイ等のカード収容体と、カード収容体が挿入される前面に開口したトレイ挿入部を有するハウジングと、トレイ挿入部内に突出させた複数のコンタクトとを備え、カードを収容した状態でカード収容体をハウジングに挿入することにより、カードの片面側に形成された信号伝達端子（パッド）が対応するコンタクトと接触し、このコンタクトを介してカードとプリント配線基板とを電気的に接続させるようになっている。
【０００３】
カードトレイ等のカード収容体は、平板状の底板部の四辺部より立ち上げた内壁部を備えることにより、片側表面部にカード形状に合わせて凹ませた形状のカード収容部が形成され、このカード収容部にカードを嵌め込むことによりカードを収容するようになっている。
【先行技術文献】
【特許文献】
【０００４】
【特許文献１】特開２００７−号１９３７３３号公報
【発明の概要】
【発明が解決しようとする課題】
【０００５】
しかしながら、上述の如き従来の技術では、ＩＣカード等のカードをカード収容部内に収容できるようにカードとカード収容体との嵌め合いを緩く設定すると、カード収容部の内周面部とカードの外周面との間に若干の隙間が形成され、カード収容体に対しカードが保持されていない状態となりカード収容体のハウジングに対する挿抜動作時にカードが脱落してしまう虞があった。
【０００６】
一方、カードとカード収容体との嵌め合いをきつく設定すると、カード収容部へのカードの着脱動作に困難が伴い、また、その着脱動作時にカード収容体に負荷が生じ、カード収容体の破損を招く虞があった。
【０００７】
本発明は、このような従来の問題に鑑み、ＩＣカード等のカードをカードトレイ等のカード収容体に容易且つ確実に保持させることができ、安定してカード収容体の挿抜動作を行うことができるカードコネクタの提供を目的としてなされたものである。
【課題を解決するための手段】
【０００８】
上述の如き従来の問題を解決し、所期の目的を達成するための請求項1に記載の発明の特徴は、互いに間隔を置いて対向する一対の内壁部間にカードが収容されるカード収容部が形成されてなるカード収容体と、該カード収容体が挿入される収容体挿入部を有するハウジングと、前記収容体挿入部内に突出して前記カードの片面側に形成された信号伝達端子と接触する複数のコンタクトとを備えたカードコネクタにおいて、前記カード収容体は、前記内壁部の一方又は両方に他方の内壁部側に向けてカード周面を押圧するバネ状の弾性押圧部材が形成され、前記両内壁部間に前記カードを保持させるようにしたことにある。
【０００９】
請求項２に記載の発明の特徴は、請求項１の構成に加え、前記弾性押圧部材は、前記内壁部に前記カード周面と互いに対向する配置に弾性変形可能に支持させたばね状の弾性可動片と、該弾性可動片の内側に突出した押圧突部とを備えたことにある。
【００１０】
請求項３に記載の発明の特徴は、請求項２の構成に加え、前記内壁部にスリット状の溝を形成することにより、前記内壁部の内側面部を弾性可動片とするとともに、該弾性可動片の変形代を形成するようにしたことにある。
【００１１】
請求項４に記載の発明の特徴は、請求項２の構成に加え、前記底板部に前記内壁部の内側下縁に沿ってスリット状の長孔が形成されることにより、前記内壁部の一部を前記弾性可動片としたことにある。
【００１２】
請求項５に記載の発明の特徴は、請求項１、２又は３の構成に加え、前記カード収容体のカード挿入方向奥側に配置された内壁部に前記カード縁部が露出されるカード露出部が形成されるとともに、前記収容体挿入部のカード挿入方向奥側部に操作側スイッチコンタクト及び被操作側スイッチコンタクトからなるタイミングスイッチを備え、且つ、前記内壁部と間隔を置いて対向する他方の内壁部に前記弾性押圧部材を備え、前記操作側スイッチコンタクトが前記カード露出部を通して前記カードの縁部と接触することにより前記被操作側スイッチコンタクトと接触又は離反するようにしたことにある。
【発明の効果】
【００１３】
本発明に係るカードコネクタは、上述したように、互いに間隔を置いて対向する一対の内壁部間にカードが収容されるカード収容部が形成されてなるカード収容体と、該カード収容体が挿入される収容体挿入部を有するハウジングと、前記収容体挿入部内に突出して前記カードの片面側に形成された信号伝達端子と接触する複数のコンタクトとを備えたカードコネクタにおいて、前記カード収容体は、前記内壁部の一方又は両方に他方の内壁部側に向けてカード周面を押圧するバネ状の弾性押圧部材が形成され、前記両内壁部間に前記カードを保持させるようにしたことにより、カードをカード収容部に容易に嵌め込むことができる一方、カードをカード収容部内に安定して保持でき、カード収容体を挿抜動作する際のカードの脱落を防止することができる。
【００１４】
また、本発明において、前記弾性押圧部材は、前記内壁部に前記カード周面と互いに対向する配置に弾性変形可能に支持させたばね状の弾性可動片と、該弾性可動片の内側に突出した押圧突部とを備えたことにより、好適にカードを保持することができる。
【００１５】
更に本発明において、前記内壁部にスリット状の溝を形成することにより、前記内壁部の内側面部を弾性可動片とするとともに、該弾性可動片の変形代を形成するようにしたことにより、簡易な構造で内壁部に弾性押圧部を形成することができる。
【００１６】
また、本発明において、前記底板部に前記内壁部の内側下縁に沿ってスリット状の長孔が形成されることにより、前記内壁部の一部を前記弾性可動片としたことにより、簡易な構造で内壁部に弾性押圧部を形成することができる。
【００１７】
また、本発明において、前記カード収容体のカード挿入方向奥側に配置された内壁部に前記カード縁部が露出されるカード露出部が形成されるとともに、前記収容体挿入部のカード挿入方向奥側部に操作側スイッチコンタクト及び被操作側スイッチコンタクトからなるタイミングスイッチを備え、且つ、前記内壁部と間隔を置いて対向する他方の内壁部に前記弾性押圧部材を備え、前記操作側スイッチコンタクトが前記カード露出部を通して前記カードの縁部と接触することにより前記被操作側スイッチコンタクトと接触又は離反するようにしたことにより、未挿入時には弾性押圧部材によりカードが保持されてカードの脱落が防止され、カード収容体をハウジングに挿入した際には、弾性押圧部材により常にカードが挿入方向奥側に付勢された状態にあるので、一定のタイミングで確実にスイッチが切り換わり、操作側スイッチコンタクトのバネスパンを小さくでき、操作側スイッチコンタクトの小型化を図ることができ、それに伴いハウジングの小型化を図ることができる。
【図面の簡単な説明】
【００１８】
【図１】本発明に係るカードコネクタの一例を示す斜視図である。
【図２】（ａ）はカードの一例を示す底面図、（ｂ）は他のカードの一例を示す底面図である。
【図３】（ａ）は図１中のカード収容体（カードトレイ）の一例を示す平面図、（ｂ）は同底面図である。
【図４】同上の縦断面図である。
【図５】（ａ）（ｂ）は同上のカード収容体のカードを収容した状態を示す平面図である。
【図６】図１中のハウジングのシールドカバーを取り外した状態の平面図である。
【図７】本発明に係るカードコネクタの他の一例を示す斜視図である。
【図８】（ａ）は図７中のカード収容体を示す平面図、（ｂ）は同底面図である。
【図９】（ａ）は同上のカード収容体の他の一例を示す平面図、（ｂ）は同底面図である。
【図１０】同上のカードコネクタのカード収容体未挿入時の状態を示す部分破断平面図である。
【図１１】同上のカード収容体を挿入した状態を示す部分破断平面図である。
【発明を実施するための形態】
【００１９】
次に、本発明に係るカードコネクタの第１の実施の態様を図１〜図６に示した実施例に基づいて説明する。尚、図中符号１はカードコネクタ、符号Ａはフラッシュメモリーカード等のカード、符号ＢはＩＣカード等のカードである。
【００２０】
このカードコネクタ１は、規格の異なる２種類のカードを収容可能なカードトレイ等のカード収容体２と、カード収容体２が挿入される収容体挿入部３を有するハウジング４と、収容体挿入部３内に突出して一方のカードの信号伝達端子（パッド）と接触する複数の奥側コンタクト５，５...と、収容体挿入部３内に突出して他方のカードの信号伝達端子と接触する複数の手前側コンタクト６，６...とを備え、カード収容体２にカードの内一方を適宜選択して収容させ、その状態でカード収容体２を収容体挿入部３に挿入することにより選択されたカードの信号伝達端子が対応するコンタクトと弾性的に接触し、選択されたカードとプリント配線基板とがコネクタ１を介して電気的に接続されるようになっている。
【００２１】
一方のカードＡは、例えば、図２（ａ）に示す如き小型のフラッシュメモリーカードであって、カード全幅に比してカード全長が長い矩形状に形成され、カード全長方向の一方の端部に他の部分に比してカード幅の狭い縮幅部Ａａを有している。
【００２２】
この縮幅部Ａａは、カード幅方向の一方に片寄せて配置され、この縮幅部Ａａの片面にカード全長方向に向けた複数の信号伝達端子ａ１，ａ１...が互いに平行にカード幅方向に並べて配列されている。
【００２３】
また、この一方のカードＡには、カード全長方向の縮幅部Ａａとは反対側の端部に、信号伝達端子が形成された面とは反対側に盛り上がった形状の拡厚部Ａｂが形成されている。
【００２４】
他方のカードＢは、例えば、図２（ｂ）に示す如きＩＣカードであって、カード全幅に比してカード全長が長い矩形状に形成され、カード全長が一方のカードＡの全幅より長く、且つ、カード全幅が一方のカードＡより狭く形成されている。尚、図中符号Ｂａは矩形状の一方の隅部に斜め方向に切欠いた形状の位置決め部である。
【００２５】
このカードＢの片面には、複数の信号伝達端子ｂ１，ｂ１...をカード幅方向に並べてなる一対の信号伝達端子列がカード全長方向に間隔を置いて並列配置に形成されている。
【００２６】
カード収容体２は、図３に示すように、片面側に２種類のカードＡ，Ｂの内一方を選択して収容可能な平板状の収容本体１０と、収容本体１０の収容体挿入方向手前側に配置された前縁蓋部１１とを有している。
【００２７】
収容本体１０は、ポリアセタール等の成形品が弾性を有する絶縁性合成樹脂をモールド成形することにより形成され、片面側に一方のカードＡがその長手方向を収容体挿入方向に向けて収容される縦向きのカード収容部１２と、他方のカードＢがその長手方向をコネクタ幅方向に向けて収容される横向きのカード収容部１３とを備え、縦向きのカード収容部１２と横向きのカード収容部１３とが重複する一部を互いに共用する配置となっている。
【００２８】
尚、このカード収容体２とカードＡ，Ｂとの嵌め合いは緩く設定され、カードをカード収容部１２，１３内に収容した際に、互いに対向する各内壁部内側面とカード外側面との間には若干の隙間が形成されるようになっている。
【００２９】
縦向きのカード収容部１２は、一方のカードＡの外形状に合わせて収容本体１０の片面部に開口した形状、即ち、収容本体１０の収容体挿入方向奥側部にカードＡの縮幅部Ａａが嵌め込まれる縮幅凹部１４と、縮幅凹部１４の収容体挿入方向手前側に連続して配置された広幅凹部１５とを備えた形状に形成され、一方のカードＡが信号伝達端子側面を開口側に向けて収容されるようになっている。
【００３０】
また、カード収容部１２は、一方のカードＡの外形状に合わせて収容本体１０の厚み方向に貫通した開口部１６の内側縁より内向きに張り出した各支持片１７ａ〜１７ｄを備え、各支持片１７ａ〜１７ｄにカードＡの信号伝達端子側面とは反対側の面を支持させるようになっている。
【００３１】
各支持片１７ａ〜１７ｄは、横向きのカード収容部１３の内底面より一段低い配置となるように形成され、カードＡが開口部１６内に嵌め込まれるようになっている。
【００３２】
一方、カード収容部１２の縮幅凹部１４は、互いに間隔を置いて対向する一対の内壁部１８，１８間に形成され、両内壁部１８，１８間にカードＡの縮幅部Ａａが嵌め込まれるようになっている。
【００３３】
この両内壁部１８，１８には、他方の内壁部側に向けてカード周面、即ち、縮幅部Ａａの側面を押圧するバネ状の弾性押圧部材１９を備え、両内壁部１８，１８間で縮幅部Ａａを挟持し、カードＡを保持させるようになっている。
【００３４】
この弾性押圧部材１９は、内壁部１８にカード周面と互いに対向する配置に弾性変形可能に支持させたばね状の弾性可動片１９ａと、弾性可動片の内側に突出した押圧突部１９ｂとを備えている。
【００３５】
弾性可動片１９ａは、各内壁部に上面に開口したＬ字スリット状の溝２０が設けられることにより、内壁部１８の内側面部の一部を上縁部及び一方の側縁部を自由端とした薄板状に形成され、それとともに溝２０が弾性可動片１９ａの変形代を形成するようになっている。
【００３６】
一方、押圧突部１９ｂは、カード嵌め込み方向に軸方向を向けた半円柱状に形成され、上端部に上面側に向けて縮径するテーパ部を有し、このテーパ部に誘導されて、カードの側面部が両弾性押圧部材１９間に好適に嵌め込まれるようになっている。
【００３７】
尚、図中符号２１は、開口部１６の後縁部に形成された位置決め膨出部であって、開口側に膨出した形状に形成され、この位置決め膨出部２１の端縁にカードＡの後縁が当て止めされて位置決めできるようになっている。また、この位置決め膨出部２１は、カードＢを選択した際、裏面側に押し込むことにより反転して裏面側に膨出され、カードＢに干渉しないようになっている。
【００３８】
一方、横向きのカード収容部１３は、他方のカードＢの外形に合わせて前後左右の内壁部２２〜２５に囲まれた矩形状に収容本体１０の片面部を凹ませた形状に形成され、他方のカードＢが信号伝達端子側面を開口側に向けて収容されるようになっている。
【００３９】
また、カード収容部１３の一方の隅部には、位置決め部Ｂａの位置に合わせて傾斜部２６が形成され、位置決め部Ｂａの位置を傾斜部２６の位置に合わせることにより、カードＢが一方向でのみ収容されるようになっている。
【００４０】
このカード収容部１３には、前側の内壁部２２に対向する後側の内壁部２３側に向けてカードＢ周面を押圧するバネ状の弾性押圧部材２７を備えるとともに、互いに対向する左右の内壁部２４，２５に他方の内壁部側に向けてカード周面を押圧するバネ状の弾性押圧部材２８，２８を備えている。
【００４１】
弾性押圧部材２７は、内壁部２２にカード周面と互いに対向する配置に弾性変形可能に支持させたばね状の弾性可動片２７ａと、弾性可動片２７ａの内側に突出した押圧突部２７ｂとを備え、カードＢがカード収容部１３に嵌め込まれた際に、押圧突部２７ｂを介して弾性可動片２７ａが外向きに押圧されることによりバネ性を発揮し、後側内壁部２３側に向けてカードＢの側面を押圧するようになっている。
【００４２】
この弾性可動片２７ａは、対向するカード側面と平行なスリット状の溝２９が前側収容本体１０の裏面側に設けられることにより形成され、この溝２９により内壁部２２の内側面部の一部が弾性可動片２７ａを成すとともに、溝２９が弾性可動片２７ａの変形代を形成するようになっている。
【００４３】
押圧突部２７ｂは、カード嵌め込み方向に軸方向を向けた半円柱状に形成され、上端部に上面側に向けて縮径するテーパ部を有し、このテーパ部に誘導されて、カードの側面部が両弾性押圧部材２７の内側に好適に嵌め込まれるようになっている。
【００４４】
一方、弾性押圧部材２８，２８は、一端を内壁部２４，２５に支持させた固定端とし、且つ他端側を変形可能な自由端としてなる対向するカード側面と平行な片持ちばね状の弾性可動片２８ａと、弾性可動片２８ａの内側に突設させた押圧突部２８ｂとを備え、カードＢがカード収容部１３に嵌め込まれた際に、押圧突部２８ｂを介して弾性可動片２８ａが外向きに押圧されることによりバネ性を発揮し、他方の内壁部側に向けてカードの側面を押圧するようになっている。
【００４５】
前縁蓋部１１は、カードコネクタがスマートフォン等の電気機器に組み込まれた際に機器筐体の外側面に露出するようになっており、カードトレイがハウジング４より排出された場合、カードトレイが機器筐体の外側面より引き出し状に突出するようになっている。
【００４６】
ハウジング４は、絶縁性合成樹脂によってモールド成形されたあと、導電性金属板材からなるシールドカバー３１とを組み合わせることにより構成され、前面側が開口した中空箱状に形成されている。
【００４７】
モールドケース３０の底部には、図６に示すように、奥側コンタクト５，５...及び手前側コンタクト６，６...がインサート成形により一体的に組み込まれ、収容体挿入部３の収容体挿入方向奥側に複数の奥側コンタクト５，５...がコネクタ幅方向に間隔を置いた平行配置に備えられ、収容体挿入部３の収容体挿入方向手前側の底板部に複数の手前側コンタクト６，６...が収容体挿入方向に並べた配置に備えられ、奥側コンタクト５，５...が一方のカードＡの片面に配置された信号伝達端子ａ１，ａ１...と接触し、手前側コンタクト６，６...が他方のカードＢの片面に形成された信号伝達端子ｂ１，ｂ１...と接触するようになっている。
【００４８】
尚、図中符号３２は、収容体挿入部３底部の収容体挿入方向奥側に底板厚み方向に貫通したトレイ幅方向に長い形状に形成された横向き回避窓、符号３３は収容体挿入部３のトレイ挿抜方法手前側にトレイ幅方向に間隔を置いた平行配置に形成された一対の縦向き回避窓である。
【００４９】
このように構成されたカードコネクタ１では、カードをカード収容部に嵌め込む際、押圧突部を介して弾性可動片が外向きに押圧されて弾性変形するので、容易に嵌め込むことができる。
【００５０】
一方、両内壁部間にカードの縮幅部が嵌め込まれた状態では、弾性可動片がバネ性を発揮し、他方の内壁部側に向けてカード周面を押圧するので、両内壁部間にカードを挟持し、カード収容体２をハウジング４に対して挿抜動作させる際にカードがカード収容体２より脱落するのを防止することができる。
【００５１】
次に、本発明に係る第２の実施態様について図７〜図１１に示す実施例に基づいて説明する。尚、符号４０はカードコネクタ、図中符号Ｃはフラッシュメモリーカード等のカードである。
【００５２】
このカードコネクタ４０は、カードＣが収容されるカードトレイ等のカード収容体４１と、カード収容体４１が挿入される収容体挿入部４２を有するハウジング４３と、収容体挿入部４２内に突出する複数のコンタクト４４，４４...とを備え、カードＣを収容した状態でカード収容体４１をハウジング４３に挿入し、カードＣの片面側に形成された信号伝達端子を対応するコンタクト４４，４４...と接触させることにより、カードＣとプリント配線基板とを電気的に接続させるようになっている。
【００５３】
ハウジング４３は、絶縁性合成樹脂によってモールド成形されたモールドケース４５と、導電性金属板材からなるシールドカバー４６とを組み合わせることにより構成され、前面側が開口した中空箱状に形成されている。
【００５４】
モールドケース４５の底部には、コンタクト４４，４４...がインサート成形により一体的に組み込まれ、収容体挿入部４２の収容体挿入方向手前側及び奥側の底板部５０に複数のコンタクト４４，４４...が２段に並べた配置に備えられ、カード収容体４１にカードＣを収容した状態で収容体挿入部４２に挿入した際、コンタクト４４，４４...がカードＣの片面に形成された信号伝達端子と接触するようになっている。
【００５５】
カード収容体４１は、図８に示すように、ポリアセタール等の成形品が弾性を有する絶縁性合成樹脂をモールド成形することにより形成され、矩形平板状の底板部５０と、底板部５０の周縁部より立ち上げた形状の前後左右の内壁部５１，５２，５３，５４とを有し、片面部に内壁部５１，５２，５３，５４に囲まれた凹状のカード収容部５５が形成されている。
【００５６】
また、このカード収容体４１には、収容体挿入方向手前側部に底面及び外側面に亘って外側に張り出した当止め段部５６が形成され、当止め段部５６の前縁がハウジング４３の開口縁部に当て止めされることにより、カード収容体４１がハウジング４３の所定の挿入位置まで挿入されるようになっている。
【００５７】
尚、このカード収容体４１とカードＣとの嵌め合いは緩く設定され、カードＣをカード収容部５５内に収容した際に、互いに対向する各内壁部５１，５２、５３，５４内側面とカードＣ外側面との間には若干の隙間が形成されるようになっている。
【００５８】
カード収容部５５には、カードＣが信号伝達端子側面を底面側に向けて収容され、底板部５０に形成された端子露出部５７を通してカードＣの信号伝達端子が収容体挿入部４２の底板側に露出するようになっている。
【００５９】
端子露出部５７は、底板部５０を収容体挿入方向奥側より手前側部に亘って矩形状に切欠いた形状に形成され、この端子露出部５７に隔てられて底板部５０の両側部に一対の側縁受け部５０ａ，５０ａが形成されている。
【００６０】
左右の内壁部５３，５４は、互いに間隔を隔てて内側面が平行配置に対向した薄板壁状に形成され、内側面部に内側に突出した押圧突部５８を一体に備えている。
【００６１】
また、この左右の内壁部５３，５４は、両側縁受け部５０ａ，５０ａが互いに独立し弾性変形可能なことから、側縁受け部５０ａ，５０ａとともに弾性変形することができ、内壁部５３，５４の収容体挿入方向奥側部が他方の内壁部側に向けてカードＣ周面を押圧する弾性押圧部材を構成している。
【００６２】
押圧突部５８は、カードＣ嵌め込み方向に軸方向を向けた半円柱状に形成され、上端部に上面側に向けて縮径するテーパ部を有し、このテーパ部に誘導されて、カードＣの側面部が両内壁部５３，５４間に好適に嵌め込まれるようになっている。
【００６３】
尚、弾性押圧部材は、図９に示すように、底板部５０に内壁部５３，５４の内側下縁に沿ってスリット状の長孔５９が形成されることにより、内壁部５３，５４の一部を両端が固定されたばね状の弾性可動片と６０したものを併用してもよい。
【００６４】
また、後側の内壁部５２には、弾性押圧部材６１を備え、カードＣの後側面を前側の内壁部５１側に押圧し、カードＣが前側の内壁部５１側に付勢されるようになっている。
【００６５】
この弾性押圧部材６１は、一方の端部を後側の内壁部５２に支持させた固定端とし、他端側を移動可能な自由端とした片持ちばね状の弾性可動片６１ａと、弾性可動片６１ａの内側に突出した押圧突部６１ｂとを備え、カードＣをカード収容部５５に嵌め込んだ際、弾性可動片６１ａが押圧突部６１ｂを介して外向きに押圧され、その反力をもってカードＣを前側の内壁部５１側に向けて押圧するようになっている。
【００６６】
前の内壁部５１には、カード露出部６２が端子露出部５７と連続配置に形成され、カードＣをカード収容部５５に収容した際、カード露出部６２を通してカードＣ縁部が露出されるようになっている。
【００６７】
また、このカードコネクタ４０においては、図９に示すように、収容体挿入部４２の収容体挿入方向奥側部に操作側スイッチコンタクト７０及び被操作側スイッチコンタクト７１からなるタイミングスイッチを備え、操作側スイッチコンタクト７０がカード露出部６２を通してカードＣの縁部と接触することにより被操作側スイッチコンタクト７１と接触又は離反することによりタイミングスイッチのオン・オフ動作の切り替えがなされるようになっている。
【００６８】
操作側スイッチコンタクト７０は、導電性金属材を打ち抜き・折り曲げ加工することにより形成され、モールドケース４５の奥側壁部４５ａに固定されたコネクタ幅方向に向けた支持部７０ａと、支持部７０ａの一端よりカードＣ体挿抜方向手前側に向けて傾斜した形状の可動接触片部７０ｂと、可動接触片部７０ｂの先端より収容体引き出し方向に向けて膨出した形状の操作片部７０ｃと、支持部７０ａの下縁よりカードＣ体挿入方向側に折り曲げた形状の接続端子部７０ｄとを一体に備え、接続端子部７０ｄがプリント配線基板に形成された接続パターンに半田付けされるようになっている。
【００６９】
被操作側スイッチコンタクト７１は、導電性金属材を打ち抜き・折り曲げ加工することにより形成され、細長板状の固定接点部７１ａと、固定接点部７１ａの下縁より折り曲げた形状の接地用端子部７１ｂとを備え、固定接点部７１ａが操作側スイッチコンタクト７０と対向配置にモールドケース４５の奥側壁部に固定されるとともに、接地用端子部７１ｂを介してアース接続されるようになっている。
【００７０】
このタイミングスイッチは、収容体挿入部４２にカード収容体４１が挿入された場合、カード露出部６２を通して操作片部７０ｃがカードＣの挿入方向奥側縁部に直接接触して押圧され、それに連動して可動接触片部７０ｂが回動して被操作側スイッチコンタクト７１の固定接点部７１ａより離反してオフ状態となり、収容体挿入部４２よりカード収容体４１が引き出されると、可動接触片部７０ｂが弾性復帰して固定接点端部と接触してオン状態となるようになっている。
【００７１】
このように構成されたカードコネクタ４０においては、カード収容体４１をハウジング４３より引抜いた状態にあっては、弾性押圧部材６１によりカードＣが前の内壁部５１側に押圧され、内壁部５１と弾性押圧部材６１とに挟持されるので、一定の保持力を以てカードＣが保持され、挿抜動作時にカードＣがカード収容体４１より脱落するのを防止することができる。
【００７２】
一方、カードＣを収容した状態でカード収容体４１をハウジング４３に挿入させると、カード露出部６２を通して、収容体挿入部４２内に突出させた操作片部７０ｃがカードＣの挿入方向奥側縁部に押圧され、それに連動して可動接触片部７０ｂが回動して被操作側スイッチコンタクト７１の固定接点部７１ａより離反してオフ状態となる。
【００７３】
その際、カード収容部５５内でカードＣは、弾性押圧部材１９で収容体挿入方向に向けて付勢されているので、常に一定の接触圧で接触するようになっている。
【００７４】
これにより、操作側スイッチコンタクト７０の撓み量を最小とすることができるので、ばねスパンを短くでき、その分操作側スイッチコンタクト７０の外形を小型化できるので、コネクタの小型化を図ることができる。
【００７５】
尚、上述の実施例では、カード収容体としてカードトレイを例に説明したが、カード収容体は、小型ＩＣカードを定型のＩＣカードの形状に適合させるためのカードアダプターであってもよい。
【符号の説明】
【００７６】
Ａ，Ｂ，Ｃ  カード
１  カードコネクタ
２  カードＣ収容体
３  収容体挿入部
４  ハウジング
５  奥側コンタクト
６  手前側コンタクト
１０  収容本体
１１  前縁蓋部
１２  カード収容部
１３  カード収容部
１４  縮幅凹部
１５  広幅凹部
１６  開口部
１７  支持片
１８  内壁部
１９  弾性押圧部材
２０  溝
２１  位置決め膨出部
２２〜２５  内壁部
２６  傾斜部
２７  弾性押圧部材
２８  弾性押圧部材
２９  溝
３０  モールドケース
３１  シールドカバー
４０  カードコネクタ
４１  カード収容体
４２  収容体挿入部
４３  ハウジング
４４  コンタクト
４５  モールドケース
４６  シールドカバー
５０  底板部
５１〜５４  内壁部
５５  カード収容部
５６  当て止め段部
５７  端子露出部
５８  押圧突部
５９  長孔
６０  弾性可動片
６１  弾性押圧部材
６２  カード露出部
７０  操作側スイッチコンタクト
７１  被操作側スイッチコンタクト
【図１】
2013222653.tif 000003
【図２】
2013222653.tif 000004
【図３】
2013222653.tif 000005
【図４】
2013222653.tif 000006
【図５】
2013222653.tif 000007
【図６】
2013222653.tif 000008
【図７】
2013222653.tif 000009
【図８】
2013222653.tif 000010
【図９】
2013222653.tif 000011
【図１０】
2013222653.tif 000012
【図１１】
2013222653.tif 000013